(57)【要約】【課題】この発明は、単独でライン状に発光可能な光学発光体の発光方向を側方に設定することにより、照明に十分な発光出力が得られる高輝度構成を実現でき、さらに小型で安価な光学発光体を用いるため低消費電力、低コスト化および長寿命化を図ることができる照明装置および遊技機を提供することを目的とする。【解決手段】この発明は、照明方向を正面前方に設定した照明装置であって、光波の向きを同発光方向に揃えて発光させる指向性を有する光学発光体を設け、この光学発光体の発光方向を側方に設定して配設したことを特徴とする。【選択図】　図７
2004008407.tif 000002
【特許請求の範囲】
【請求項１】
照明方向を正面前方に設定した照明装置であって、
光波の向きを同発光方向に揃えて発光させる指向性を有する光学発光体を設け、この光学発光体の発光方向を側方に設定して配設した
照明装置。
【請求項２】
照明方向を正面前方に設定した照明装置であって、
光波の向きを同発光方向に揃えて発光させる指向性を有する一対の光学発光体の互いの発光方向を相対向させて、側方の対向面間に前記一対の光学発光体を対設した
照明装置。
【請求項３】
照明方向を正面前方に設定したケース本体の発光空間部に発光体を配設して照明する照明装置であって、
前記発光空間部に、光波の向きを同発光方向に揃えて発光させる指向性を有する光学発光体を配設し、その発光方向を側方より発光出力が大きくなる方向に傾斜させた
照明装置。
【請求項４】
照明方向を正面前方に設定したケース本体の発光空間部に発光体を配設して照明する照明装置であって、
前記発光空間部に、光波の向きを同発光方向に揃えて発光させる指向性を有し、その発光方向を側方より発光出力が大きくなる方向に傾斜させて配設した光学発光体と、
前記光学発光体の発光方向に対設され、発光された光波を正面前方に反射させる反射部材と、
を備えた照明装置。
【請求項５】
反射部材の表面は複数の凹面または複数の凸面の少なくとも一方を有する
請求項４記載の照明装置。
【請求項６】
光波の向きを同発光方向に揃えて発光させる指向性を有し、かつ発光色が異なる複数の光学発光体を単独もしくは組合せて配設した
請求項２、３、４または５記載の照明装置。
【請求項７】
請求項１、２、３、４、５または６記載の照明装置を備えた遊技機。
【発明の詳細な説明】
【０００１】
【発明が属する技術分野】
この発明は、例えばパチンコ遊技ホール（遊技店）のパチンコ機、パチスロ機などの遊技機に備えられるような照明装置に関し、さらに詳しくはシンプルな構成部材で高出力の照明性能が得られる照明装置および遊技機に関する。
【０００２】
【従来の技術】
一般に、パチンコ機などの上部には台ランプと呼ばれる、図１３に示すような表示器１３１が設置されている。
【０００３】
この表示器１３１は、横長のケース本体１３２の中央部にパチンコ玉等の個数表示、権利発生回数、過去の権利発生データを表示するディスプレイ部１３３を有し、両側に係員呼出し、表示切換え、過去のデータ呼出し等に使用される操作ボタン部１３４と、権利発生時や係員呼出し等の際に点灯／点滅する発光部１３５とを有して一体的に構成している。
【０００４】
このうち、左右両側に設けられる発光部１３５の内部構造については、図１４に示すように、ケース本体１３２に横長の発光空間部１３６を例えば３個形成し、これらに発光体として各色の蛍光管１３７…を取付けている。また、娯楽遊技性を高めるため、様々な色で蛍光管１３７を点灯／点滅させる派手なアクションが要求されており、この蛍光管１３７については長年に渡って古くから使用されているが、次のような問題を有していた。
【０００５】
（１）　蛍光管を使用しているため、消費電力が大きい。ことに、遊技機１台毎に表示器１３１を１個要するため、遊技ホールなどで数百台使用される場合、全体的に非常に大きな電力消費となる。また、周辺の環境に与える電力供給の影響からも改善が望まれている。
【０００６】
（２）　蛍光管を用いて各色を発生させるとはいっても、蛍光管は単色（１色のみ）でライン状の発光しかできないため、搭載する蛍光管の数により表示色が制限される。
【０００７】
（３）　蛍光管自身がコスト的に高価なものであり、これに付随する専用のインバータ装置も必要になっていた。
【０００８】
（４）　表示器の外観上デザインにより、長さの異なった複数本の蛍光管を使用する場合もあり、表示器を維持管理する観点から何種類もの蛍光管を準備する必要がある。
【０００９】
（５）　蛍光管の寿命が短いため、定期的な交換が必要となっており、ランニングコストの改善が望まれている。
【００１０】
次に、上述の蛍光管を使用した場合の発光駆動回路の一例を図１５を参照して説明する。この１つの表示器の左右両側に発光部をそれぞれ備えた場合（図１３参照）、これらに対応して制御信号と発振部が接続された２つの増幅部を有し、さらに高電圧を要するために回路側に昇圧部を要していた。このような駆動方式であるため、発光に要する消費電力が非常に大きくなっていた。
【発明が解決しようとする課題】
このようなことから蛍光管対策として、発光ダイオード（ＬＥＤ）に代表される発光素子を使用して発光部を構成することが考えられる。
【００１１】
しかし、この場合は
（１）　ＬＥＤが小さな点発光しかできないため、ライン状に発光させるためには多くのＬＥＤをライン方向に配列して形成すればよいが、点の配列に見えてしまい、多数個のＬＥＤを必要とする。
【００１２】
また、点配列のため明るい部分と暗い部分ができ易く、より多くのＬＥＤを配置しなくてはならない。
【００１３】
（２）　ＬＥＤを用いて低消費電力を狙っても、多くのＬＥＤを要するためコスト的にはメリットがない。
という問題を有していた。
【００１４】
そこでこの発明は、単独でライン状に発光可能な光学発光体の発光方向を側方に設定することにより、照明に十分な発光出力が得られる高輝度構成を実現でき、さらに小型で安価な光学発光体を用いるため低消費電力、低コスト化および長寿命化を図ることができる照明装置および遊技機を提供することを目的とする。
【００１５】
【課題を解決するための手段】
この発明は、照明方向を正面前方に設定した照明装置であって、光波の向きを同発光方向に揃えて発光させる指向性を有する光学発光体を設け、この光学発光体の発光方向を側方に設定して配設したことを特徴とする。
【００１６】
ここで光学発光体とは、小さな１つの発光素子（例えば発光ダイオード）と、この発光素子が発光した光波の向きを同発光方向に揃える平行光化部とを一体化成形してコンパクトに構成できる。この場合、平行光化部とは、発光素子の前面中央部に光波を前方に屈折させる直接出射領域（例えば屈折率の大きいレンズ部で構成できる）と、その周囲には残りの全光波を同前方に平行して反射させる全反射領域（例えば樹脂層と光反射部材とで構成できる）とを有して、発光素子から発光する光波の向きを屈折させて全て前方に平行光化させる光波整列機能を有している。このような光波整列機能を有するため光の指向性を失わない高輝度の発光性能が得られる。
【００１７】
この発明によれば、光学発光体の発光方向を、側方より指向性を持たせて発光させるため、このときの発光出力は、あたかも蛍光管の如く細長くライン状に発光させることができ、蛍光管に代替する発光体として利用できる。
【００１８】
また、１個の小さな光学発光体で１本の発光ラインを形成できるため省スペースに配設できるほか、光学発光体は蛍光管に比べて、はるかに安価に製作でき、しかも消費電力が小さく、寿命が長いため照明装置の維持管理に適している。
【００１９】
この発明の他の形態として、照明方向を正面前方に設定した照明装置であって、光波の向きを同発光方向に揃えて発光させる指向性を有する一対の光学発光体の互いの発光方向を相対向させて、側方の対向面間に、前記一対の光学発光体を対設して構成することができる。
【００２０】
このような構成によれば、相対向する一対の光学発光体の互いの光波が左右から延びて中央部でつながり、１本の長い発光ラインを形成できる。このため、２個の光学発光体を組合せれば長いライン状の発光部を確保できるほか、信号制御によって任意に点灯／点滅もできる。
【００２１】
この発明の他の形態として、照明方向を正面前方に設定したケース本体の発光空間部に発光体を配設して照明する照明装置であって、前記発光空間部に、光波の向きを同発光方向に揃えて発光させる指向性を有する光学発光体を配設し、その発光方向を側方より発光出力が大きくなる方向に傾斜させて構成することができる。
【００２２】
このような構成によれば、ケース本体の発光空間部に発光させるとき、壁面の反射を利用して発光出力が大きくなる方向に光学発光体を傾斜させれば、反射作用によって効率よく発光出力を取出すことができる。
【００２３】
この発明の他の形態として、照明方向を正面前方に設定したケース本体の発光空間部に発光体を配設して照明する照明装置であって、前記発光空間部に、光波の向きを同発光方向に揃えて発光させる指向性を有し、その発光方向を側方より発光出力が大きくなる方向に傾斜させて配設した光学発光体と、前記光学発光体の発光方向に対設され、発光された光波を正面前方に反射させる反射部材とを備えて構成することができる。
【００２４】
ここで反射部材とは、光波の反射に適した白色シート、白色塗装、メッキなどによる反射面の形成や鏡面反射板を有し、また光波を正面の照明方向に反射させる曲面や傾斜角度を有して構成することができる。
【００２５】
このような構成によれば、側方から照射した光波は発光空間部内で反射部材より反射して、正面前方の照明方向に光が集約されながら発光して明瞭に照明することができる。
【００２６】
この発明の他の形態として、反射部材の表面を、複数の凹面または複数の凸面の少なくとも一方を有して構成することができる。
【００２７】
ここで複数の凹面とは、小さな凹部を表面全体に形成して構成することができる。また、複数の凸面とは、小さな凸部を表面全体に形成して構成することができる。
【００２８】
このような構成によれば、凹面または凸面に光波が反射したとき、光波が複数の凹面に分散投光させて均一な発光効果を得ることができるほか、複数の凸面より反射した光を集約させて照明輝度を高めることができる。
【００２９】
この発明の他の形態として、光波の向きを同発光方向に揃えて発光させる指向性を有し、かつ発光色が異なる複数の光学発光体を単独もしくは組合せて構成することができる。
【００３０】
このような構成によれば、発光色が異なる複数の光学発光体を単独に発光させれば、その光学発光体自体の発光色で発光させることができる。
【００３１】
また、発光色が異なる複数の光学発光体を組合せた場合は、互いの発光色が混ざって所望の発光色を作り出すことができる。このため、複数の光学発光体自身が持つ発光色とは違った色を発光させることができる。
【００３２】
このようなライン発光機能を持たせた照明装置を、各種の遊技機に取付けて構成することができる。
【００３３】
例えば、パチンコ遊技ホールの全遊技機に照明装置を取付ける場合、一台毎に低消費電力と低コスト化が図れるため、経済的に製作できる以外に遊技ホール全体の消費電力を抑制できることから周辺の環境に与える影響も確実に改善できる。
【００３４】
【発明の実施の形態】
この発明の一実施の形態を以下図面に基づいて説明する。
図面はパチンコ遊技ホールに設置される遊技機を示し、図１において、この遊技機１１は正面に縦長に立設して設置され、その側方にパチンコ玉貸機としての細長い台間機１２を隣設し、正面上方には遊技案内用の照明装置１３を配設している。
【００３５】
上述の照明装置１３は、横長のケース本体１４の中央部にパチンコ玉等の個数表示、権利発生回数、過去の権利発生データを表示するディスプレイ部１５を有し、両側には係員呼出し、表示切換え、過去のデータ呼出し等に使用される操作ボタン部１６…と、権利発生時や係員呼出し等の際に点灯／点滅する発光部１７…とを有して一体的に構成している。
【００３６】
図２は発光部１７の内部構造を示し、この発光部１７は照明装置１３の両側に同発光構造を有して左右対称に形成されるため、片側についてのみ説明する。
【００３７】
この発光部１７は、ケース本体１４の内方を上部発光空間部１８ａと、中間部発光空間部１８ｂと、下部発光空間部１８ｃとの上下方向に３区画に仕切った横長の各発光空間部（断面Ｖ字形）１８ａ〜１８ｃをそれぞれ凹部形成して設け、これらの発光空間部１８ａ〜１８ｃの一側方（図２の右側）に、発光素子から発する光波の向きを同発光方向に揃えて発光させる指向性を持たせた光波整列機能を有する３個の光学発光体１９…を取付けている。したがって、これらの光学発光体１９…は、発光時に側方より横長の発光空間部１８ａ〜１８ｃに沿って細長く延びたライン状の発光出力２０として表れる。
【００３８】
図３は光学発光体１９の発光構造を示し、この光学発光体１９は発光素子２１と、発光素子２１を載置してダイボンドする受皿部２２と、一方のリードフレーム２３と、他方のリードフレーム２４と、発光素子２１と他方のリードフレーム２４を結ぶボンディングワイヤ２５と、光反射部材２６と、直接出射領域２７と、全反射領域２９と、これらの発光素子２１やリードフレーム２３，２４、光反射部材２６側を覆う第１のモールド樹脂２９と、この第１のモールド樹脂２９が例えばエポキシ樹脂の場合、それより屈折率が大きいポリカーボネート樹脂などの第２の樹脂を充填層として使い、発光素子２１側を二層構造、あるいは多層構造として球面レンズ状、非球面レンズ状、放物面状などの凸レンズ状に形成したレンズ部３０とを有している。
【００３９】
図中、３１は発光素子２１から直接出射領域２７を介して出射される光の経路であり、３２は発光素子２１から全反射領域２８を介して出射される光の経路である。
【００４０】
この場合第１の樹脂２９より第２の樹脂の屈折率を大きくすると、発光素子２１から出てレンズ部３０への経路３１に向かった光は、第１の樹脂２９と第２の樹脂で構成したレンズ３０の界面で屈折し、ほぼ平行光化されて直接出射領域２７から出射する。
【００４１】
一方、直接出射領域２７に形成したレンズ部３０の周囲には、この直接出射領域２７を囲むように全反射領域２８が形成され、かつ発光素子２１から見て直接出射領域２７と全反射領域２８との境界方向と発光素子２１の光軸とのなす角度が、第１のモールド樹脂２９と空気との間の全反射の臨界角と等しいか、それよりも大きく設定されている。そのため、発光素子２１から出て経路３２の全反射領域２８に向かった光は、モールド樹脂２９と空気との界面で全反射され、さらに光反射部材２６で反射されて、ほぼ平行光となって全反射領域２８から前方へ出射する。
【００４２】
このため、発光素子２１から発光した光波は全て前方に平行光化して出射する指向性を有する光波整列機能を受けながら発光するため、光の指向性を失わない高輝度の発光性能が得られる。
【００４３】
この結果、光学発光体１９…の発光方向を、発光空間部１８ａ〜１８ｃの側方より指向性を有して発光させるため、あたかも蛍光管を配設しているかの如く細長くライン状に発光させることができ、蛍光管に代替する発光体として利用できる。また、小さな１個の光学発光体１９で１本の細長く延びたライン状の発光出力２０を形成できるため小さなスペースの発光空間部でも配設できるほか、蛍光管に比べて安価に製作でき、しかも低消費電力で使用できる。
【００４４】
ことに、遊技ホールなどのように多数の遊技機が設置される場合、その各遊技機毎に取付けられる照明装置自体が安価で低消費電力であるため、経済的に製作できる以外に遊技ホール全体の消費電力を抑制できることから周辺の環境に与える影響も改善できる効果が見込める。
【００４５】
図４は光学発光体１９の発光性能を高めるために、発光空間部１８ｂの内壁面全体に鏡面反射板４１を形成し、また光学発光体１９の光波４２を正面の照明方向に効率よく反射させるために光学発光体１９の発光方向を奥側に若干傾斜させた照明角度θに設定している。これにより、奥側に照射された光波４２は拡散反射して正面方向に集約され、輝度を高めながら発光する。
【００４６】
この場合、発光空間部１８ｂは、図５（Ａ）に示すように、光学発光体１９から発する光波４２の反射に適したＶ字形を奥行方向に有し、このＶ字形の内壁面全体に鏡面反射板４１を取付けて、発光空間部１８ｂの奥側から正面側への反射効率を高めている。
【００４７】
また、鏡面反射板４１以外にも反射シートを貼り付けて反射面を構成してもよく、図５（Ｂ）に示すように、発光空間部１８ｂのＶ字形の内壁面に白色成形やメッキを施して反射面を構成することもできる。
【００４８】
図６は光学発光体１９を使用した場合の発光駆動回路を示し、１つの照明装置１３の左右両側に発光部１７をそれぞれ備えた場合（図１参照）であっても、該照明装置１３に内蔵される全光学発光体１９に対し、制御信号６１と、発振部６２に接続された１つの増幅部６３を配設するだけで構築できる。
【００４９】
このため、図１５で既述した蛍光管の発光駆動回路のように、高電圧を要するための昇圧部は省略でき、またこの光学発光体の発光駆動回路では１つの増幅部で対処できるため増幅部の削減が可能になる。このことからも発光体に光学発光体１９を使用することにより、消費電力が小さくなり、両発光部１７での省電力効果が得られることが認められる。また、光学発光体１９の発光機能に際しては、制御信号６１によって任意に点灯／点滅させることができる。
【００５０】
上述の光学発光体１９の配置は発光空間部１８ａ〜１８ｃの片側だけに限らず、両側から対をなして配置構成することができる。例えば、図７に示すように、光波の向きを同発光方向に揃えて発光させる指向性を有する一対の光学発光体７１、７２を設け、これらの互いの発光方向を左右両側より相対向させて各発光空間部７３ａ、７３ｂに、それぞれ一対の光学発光体７１、７２を対設する。
【００５１】
この場合は、一対の光学発光体７１、７２の互いの光波が左右から延びて中央部で光波同士がつながり、１本のライン状の長い発光出力７４を形成する。このため、２個の光学発光体７１，７２を組合せれば長いライン状の発光部を確保できる。
【００５２】
この場合も発光空間部７３ａの奥行方向は、図８に示すように、光学発光体７１から発する光波の反射に適したＶ字形を奥行方向に有している。これにより、各光学発光体７１，７２から発光した光波は、奥側から拡散反射して正面側へと集約しながら発光出力して反射効率を高めている。
【００５３】
ところで、発光空間部の内壁面に形成される反射面は、平面的な鏡面反射板２１（図４、図５（Ａ）参照）に限らず、発光出力が大きくなる任意の反射面形状に設けるのが望ましい。
【００５４】
例えば、図９に示すように、発光空間部９１の内壁面（反射面）を、小さな突部が連続して突出する小突状面９２に形成し、ここに発光空間部９１の奥側に若干傾斜させた照明角度θを有する光学発光体９３からの光波９４を照射させて照明方向に均一に反射させるような工夫を施して反射効率を高めることができる。
【００５５】
図１０は反射面をゴルフボール表面のようなディンプル形状の波形凹面１０１に設けた場合を示す。この波形凹面１０１の反射面によれば、反射させるのに適した照明角度θを有する光学発光体１０２からの光波１０３が波形凹面１０１を照射して反射したとき、光学発光体１０２の光波１０３は、ある程度の指向性を有するため、この光波１０３は各波形凹面１０１…において、発光方向に対する奥側傾斜面１０４にそれぞれ集光した状態となり、光波１０３の照射対応領域に該当する波形凹面１０１…毎に光波は集約されて高輝度で反射（ムラ投光）する高輝度の発光作用を生じさせることができ、側方から正面前方へと均一で高輝度の発光効果が得られる。
【００５６】
図１１は反射面を、図１０とは逆向きの凸ディンプル形状の波形凸面１１１に設けた場合を示す。この波形凸面１１１の反射面によれば、反射させるのに適した照明角度θを有する光学発光体１１２からの光波１１３が波形凸面１１１を照射して反射したとき、光学発光体１１２の光波１１３は、ある程度の指向性を有するため、この光波１１３は各波形凸面１１１…において、発光方向に対する手前側傾斜面１１４にそれぞれ集光した状態となり、光波１１３の照射対応領域に該当する　波形凸面１１１…毎に光波は集約されて高輝度で反射し、この場合も同様に均一で高輝度の発光作用を生じさせることができ、側方から正面前方へと反射させて集中的に明るくできる。
【００５７】
また、光学発光体自体の発光については、その発光色に工夫を凝らして様々な色を発光させることができる。例えば、発光色が異なる光学発光体を単独に発光させれば、その光学発光体自身の持つ発光色で、個別にライン状に発光させることができる。
【００５８】
このほか、図１２に示すように、光波の向きを同発光方向に揃えて発光させる指向性を有し、かつ発光色が異なる２個の光学発光体１２１、１２２を用い、これらの一対の光学発光体１２１、１２２の互いの発光方向を相対向させて左右方向に長い発光空間部１２３の側方対向面間に、該一対の光学発光体１２１、１２２を対設する。
【００５９】
この場合、発光色が異なる２つの光学発光体１２１、１２２を相対向させて発光させれば、互いの光学発光体１２１、１２２の発光色が混って両発光色とは異なる所望の発光色を作り出すことができる。例えば、一方に黄色光学発光体を、他方に赤色光学発光体を対向させて発光させれば、双方の色が混合して橙色を発光出力でき、両光学発光体自身が持つ色とは違った任意の色を発光させることができる。このため、発光色に際しても豊富であり、発光用途に適した多種類の発光色を自由に選択できる。
【００６０】
上述のように、光学発光体の発光方向を側方に設定し、この側方から発する光波に指向性を有して長く発光させるため、あたかも蛍光管の如くライン状に発光させることができ、蛍光管に代替する発光体として利用できる。また、光学発光体自体が小さいため小スペースでも容易に取付けることができ、照明装置の小型化が図れる。このため用途が増大し、しかも安価で低消費電力であるため照明装置としての維持管理に適している。
【００６１】
この発明の構成と、上述の一実施の形態の構成との対応において、
この発明の反射部材は、一実施の形態の鏡面反射板４１に対応し、
以下同様に、
凹面は、波形凹面１０１に対応し、
凸面は、小突状面９２と波形凸面１１１に対応するも、
この発明は上述の一実施の形態のみに限定されるものではなく、多くの実施の形態を得ることができる。例えば、この発明の照明装置を電飾などの機器に取付けて構成することもできる。
【００６２】
【発明の効果】
この発明によれば、発光体に、小型でありながら発光出力に富む指向性を有する光学発光体を用い、ことにその発光方向を工夫することにより、蛍光管を用いずに照明に必要な発光量を十分に得ることができる。このため、高価で高消費電力を要する蛍光管に代替でき、また光学発光体は小さなスペースにも取付けることができるため用途が増大し、しかも安価で低消費電力であるため照明装置として使用した場合の維持管理に適している。
【図面の簡単な説明】
【図１】遊技機に取付けられた照明装置を示す正面図。
【図２】発光部の内部構造を示す要部正面図。
【図３】光学発光体の内部構造を示す要部拡大断面図。
【図４】光学発光体の発光状態を示す図２のＡ−Ａ断面図。
【図５】光学発光体の発光状態を示す要部縦断面図。
【図６】発光部の発光駆動回路を示すブロック図。
【図７】他の実施の形態の発光部の内部構造を示す要部正面図。
【図８】図７のＢ−Ｂ断面図。
【図９】反射面の実施の形態を示す要部説明図。
【図１０】反射面の他の実施の形態を示す要部説明図。
【図１１】反射面の他の実施の形態を示す要部説明図。
【図１２】他の実施の形態の発光部の内部構造を示す要部正面図。
【図１３】従来の遊技機に取付けられた表示器を示す正面図。
【図１４】従来の発光部の内部構造を示す要部正面図。
【図１５】従来の発光部の発光駆動回路を示すブロック図。
【符号の説明】
１１…遊技機
１３…照明装置
１４…ケース本体
１８ａ、１８ｂ、１８ｃ、７３ａ、７３ｂ、９１、１２３…発光空間部
１９、７１、７２、９３、１０２、１１２、１２１、１２２…光学発光体
４１…鏡面反射板
４２、９４、１０３、１１３…光波
９２…小突状面
１０１…波形凹面
１１１…波形凸面
【図１】
2004008407.tif 000003
【図２】
2004008407.tif 000004
【図３】
2004008407.tif 000005
【図４】
2004008407.tif 000006
【図５】
2004008407.tif 000007
【図６】
2004008407.tif 000008
【図７】
2004008407.tif 000009
【図８】
2004008407.tif 000010
【図９】
2004008407.tif 000011
【図１０】
2004008407.tif 000012
【図１１】
2004008407.tif 000013
【図１２】
2004008407.tif 000014
【図１３】
2004008407.tif 000015
【図１４】
2004008407.tif 000016
【図１５】
2004008407.tif 000017